(57)【要約】【課題】像保持体と露光装置とを決められた位置関係になるように取り付け、静電潜像を形成するときの像保持体の回転により露光装置に伝わる振動を低減する。【解決手段】図３で示した状態において、露光ヘッドユニット１２０の下端面と感光体２１０の上端面がＹ方向にわたって均等な距離だけ離れていたから、図４（ａ）、（ｂ）においても、これらの両者の間の距離は、Ｙ方向にわたって一定である。この状態であれば、露光ヘッドユニット１２０と感光体２１０とは互いに正確な位置に取り付けられたことになる。そして、この状態で、露光ヘッドユニット１２０から照射された記録光により感光体２１０の表面に静電潜像が形成されるが、このとき、感光体２１０の外周面と露光ヘッドユニット１２０とは接触していないので、感光体２１０の回転により露光ヘッドユニット１２０に伝わる振動は低減される。【選択図】図３
2010228310.tif 000002
【特許請求の範囲】
【請求項１】
支持部材によって支持された回転軸を中心に回転する像保持体と、
前記像保持体に対して光を照射し、当該像保持体に静電潜像を形成する露光装置と、
前記像保持体と前記露光装置との位置関係を調整する場合に前記像保持体と前記露光装置との距離を一定に保つ位置関係調整手段であって、前記像保持体に静電潜像を形成する場合には、前記像保持体又は前記支持部材のうち少なくともいずれか一方に接触しない位置に配置される位置関係調整手段と
を備えることを特徴とする画像形成ユニット。
【請求項２】
前記位置関係調整手段は、
前記像保持体と前記露光装置との位置関係を調整する場合には、前記像保持体又は前記支持部材と当該露光装置とのそれぞれに接触する位置に配置されて、前記像保持体と前記露光装置との距離を一定に保ち、前記像保持体に静電潜像を形成する場合には、前記像保持体又は前記支持部材のうち、少なくともいずれか一方に接触しない位置に配置される位置決め部材を有する
ことを特徴とする請求項１記載の画像形成ユニット。
【請求項３】
前記位置関係調整部材は、
前記露光装置から前記像保持体又は前記支持部材に向かって突出し、前記像保持体の回転軸方向においてそれぞれ異なる位置に設けられた複数の突出部材と、
前記突出部材の突出量を調整する突出量調整手段とを備え、
前記像保持体と前記露光装置との位置関係を調整する場合には、前記突出量調整手段により突出量が調整されて、前記露光装置から突出した各々の前記突出部材の先端が前記像保持体又は前記支持部材に接触して、前記像保持体と前記露光装置との距離を一定に保ち、
前記像保持体に静電潜像を形成する場合には、前記突出量調整手段により突出量が調整されて、各々の前記突出部材の先端が前記像保持体又は前記支持部材に接触しない
ことを特徴とする請求項１記載の画像形成ユニット。
【請求項４】
前記位置関係調整手段は、
前記像保持体の回転軸を支持し、当該回転軸からの距離が異なる外縁を有する自転可能な前記支持部材と、
前記露光装置から前記支持部材に向かって突出し、前記像保持体の回転軸方向においてそれぞれ異なる位置に設けられた複数の突出部材とを備え、
前記像保持体と前記露光装置との位置関係を調整する場合には、前記露光装置から突出した各々の前記突出部材の先端に前記支持部材の外縁を接触させて、前記像保持体と前記露光装置との距離を一定に保ち、
前記像保持体に静電潜像を形成する場合には、前記像保持体と前記露光装置との位置関係を調整したときの前記支持部材の状態から当該支持部材を自転させて、前記露光装置から突出した各々の前記突出部材の先端に前記支持部材の外縁を接触させない
ことを特徴とする請求項１記載の画像形成ユニット。
【請求項５】
請求項１〜４のいずれか１項に記載の複数の前記画像形成ユニットと、
各々の前記画像形成ユニットの像保持体に形成された静電潜像を現像する現像手段と、
前記現像手段により現像された像を記録媒体に転写する転写手段と、
前記転写手段により転写された像を前記記録媒体に定着させる定着手段と
を備えることを特徴とする画像形成装置。
【発明の詳細な説明】
【技術分野】
【０００１】
本発明は、画像形成ユニット及び画像形成装置に関する。
【背景技術】
【０００２】
電子写真方式の画像形成装置においては、感光体などの像保持体の表面に対し、露光装置により画像データに応じた露光を行うことで、その像保持体表面に静電潜像を形成する。従って、像保持体と露光装置とは、お互いの位置関係が設計者の設計どおりになるように、正確に取り付けられている必要がある。特許文献１〜４には、像保持体と露光装置とを正確に取り付けるための技術が開示されている。
【０００３】
【特許文献１】特開２０００−１６８１３２号公報
【特許文献２】特開２０００−２５５１００号公報
【特許文献３】特開２００１−０８０１５６号公報
【特許文献４】特開２０００−３３８７５３号公報
【発明の開示】
【発明が解決しようとする課題】
【０００４】
本発明は、像保持体と露光装置とを決められた位置関係になるように取り付け、静電潜像を形成するときの像保持体の回転により露光装置に伝わる振動を低減することを目的とする。
【課題を解決するための手段】
【０００５】
請求項１に係る発明は、支持部材によって支持された回転軸を中心に回転する像保持体と、前記像保持体に対して光を照射し、当該像保持体に静電潜像を形成する露光装置と、前記像保持体と前記露光装置との位置関係を調整する場合に前記像保持体と前記露光装置との距離を一定に保つ位置関係調整手段であって、前記像保持体に静電潜像を形成する場合には、前記像保持体又は前記支持部材のうち少なくともいずれか一方に接触しない位置に配置される位置関係調整手段とを備えることを特徴とする画像形成ユニットである。
【０００６】
請求項２に係る発明は、請求項１記載の構成において、前記位置関係調整手段は、前記像保持体と前記露光装置との位置関係を調整する場合には、前記像保持体又は前記支持部材と当該露光装置とのそれぞれに接触する位置に配置されて、前記像保持体と前記露光装置との距離を一定に保ち、前記像保持体に静電潜像を形成する場合には、前記像保持体又は前記支持部材のうち、少なくともいずれか一方に接触しない位置に配置される位置決め部材を有する。
【０００７】
請求項３に係る発明は、請求項１記載の構成において、前記位置関係調整部材は、前記露光装置から前記像保持体又は前記支持部材に向かって突出し、前記像保持体の回転軸方向においてそれぞれ異なる位置に設けられた複数の突出部材と、前記突出部材の突出量を調整する突出量調整手段とを備え、前記像保持体と前記露光装置との位置関係を調整する場合には、前記突出量調整手段により突出量が調整されて、前記露光装置から突出した各々の前記突出部材の先端が前記像保持体又は前記支持部材に接触して、前記像保持体と前記露光装置との距離を一定に保ち、前記像保持体に静電潜像を形成する場合には、前記突出量調整手段により突出量が調整されて、各々の前記突出部材の先端が前記像保持体又は前記支持部材に接触しない。
【０００８】
請求項４に係る発明は、請求項１記載の構成において、前記位置関係調整手段は、前記像保持体の回転軸を支持し、当該回転軸からの距離が異なる外縁を有する自転可能な前記支持部材と、前記露光装置から前記支持部材に向かって突出し、前記像保持体の回転軸方向においてそれぞれ異なる位置に設けられた複数の突出部材とを備え、前記像保持体と前記露光装置との位置関係を調整する場合には、前記露光装置から突出した各々の前記突出部材の先端に前記支持部材の外縁を接触させて、前記像保持体と前記露光装置との距離を一定に保ち、前記像保持体に静電潜像を形成する場合には、前記像保持体と前記露光装置との位置関係を調整したときの前記支持部材の状態から当該支持部材を自転させて、前記露光装置から突出した各々の前記突出部材の先端に前記支持部材の外縁を接触させない。
【０００９】
請求項５に係る発明は、請求項１〜４のいずれか１項に記載の複数の前記画像形成ユニットと、各々の前記画像形成ユニットの前記像保持体に形成された静電潜像を現像する現像手段と、前記現像手段により現像された像を記録媒体に転写する転写手段と、前記転写手段により転写された像を前記記録媒体に定着させる定着手段とを備える画像形成装置である。
【発明の効果】
【００１０】
請求項１に記載の発明によれば、像保持体と露光装置とを決められた位置関係になるように取り付けるとともに、静電潜像を形成するときの像保持体の回転により露光装置に伝わる振動を低減することができる。
請求項２に記載の発明によれば、位置関係調整手段が有する位置決め部材の位置を変更して、像保持体と露光装置とを決められた位置関係になるように取り付けるとともに、静電潜像を形成するときの像保持体の回転により露光装置に伝わる振動を低減することができる。
請求項３に記載の発明によれば、突出部材の突出量を調整して、像保持体と露光装置とを決められた位置関係になるように取り付けるとともに、静電潜像を形成するときの像保持体の回転により露光装置に伝わる振動を低減することができる。
請求項４に記載の発明によれば、支持部材を自転させて、像保持体と露光装置とを決められた位置関係になるように取り付けるとともに、静電潜像を形成するときの像保持体の回転により露光装置に伝わる振動を低減することができる。
請求項５に記載の発明によれば、画像形成装置において、像保持体と露光装置とを決められた位置関係になるように取り付けるとともに、静電潜像を形成するときの像保持体の回転により露光装置に伝わる振動を低減することができる。
【図面の簡単な説明】
【００１１】
【図１】画像形成装置の全体構成を示す図である。
【図２】第１実施形態において感光体及び露光装置の構造を示す図である。
【図３】第１実施形態において感光体及び露光装置の構造を示す図である。
【図４】第１実施形態において感光体及び露光装置の構造を示す図である。
【図５】第２実施形態において感光体及び露光装置の構造を示す図である。
【図６】第２実施形態において感光体及び露光装置の構造を示す図である。
【図７】第２実施形態においてピンを移動させる機構を示す図である。
【図８】第３実施形態において感光体及び露光装置の構造を示す図である。
【図９】第４実施形態において感光体及び露光装置の構造を示す図である。
【図１０】第４実施形態において感光体及び露光装置の構造を示す図である。
【図１１】第５実施形態において感光体及び露光装置の構造を示す図である。
【図１２】第６実施形態において感光体及び露光装置の構造を示す図である。
【図１３】第７実施形態において感光体及び露光装置の構造を示す図である。
【図１４】第８実施形態において感光体及び露光装置の構造を示す図である。
【図１５】第８実施形態において感光体及び露光装置の構造を示す図である。
【発明を実施するための形態】
【００１２】
次に、本発明を実施するための最良の形態について説明する。
以下の第１実施形態〜第７実施形態においては、いずれも、支持部材によって支持された回転軸を中心に回転する像保持体と、像保持体に対して光を照射して当該像保持体に静電潜像を形成する露光装置との間の位置関係を調整する場合には、像保持体と露光装置との距離を一定に保つ位置関係調整手段を画像形成ユニットが備える。この位置関係調整手段は、像保持体に静電潜像を形成する場合には、像保持体又は支持部材と露光装置とのうち、少なくともいずれか一方に接触しない位置に配置される。これにより、像保持体と露光装置との位置関係を調整する場合には、像保持体と露光装置との距離が一定に保たれる一方、像保持体に静電潜像を形成する場合には、像保持体の回転により露光装置に伝わる振動が低減される。
【００１３】
＜第１実施形態＞
図１は、本発明の第１実施形態に係る画像形成装置１００の全体構造を示した図である。なお、図１においては、下方が重力方向である（その他の図において同じ）。
画像形成ユニット１Ｙ，１Ｍ，１Ｃ，１Ｋはそれぞれ、イエロー（Ｙ）色、マゼンダ（Ｍ）色、シアン（Ｃ）色およびブラック（Ｋ）色の各色のトナー像を形成する。各画像形成ユニット１Ｙ，１Ｍ，１Ｃ，１Ｋは、像を保持する像保持体である感光体と、感光体を帯電させる帯電装置と、画像データに応じた光を感光体に光を照射して静電潜像を形成する露光装置と、静電潜像にトナーを供給して感光体の表面にトナー像を形成させる現像装置と、中間転写ベルト２にトナー像を１次転写するための１次転写ロールと、一次転写後の感光体の表面に残留するトナーを除去するクリーニング装置とを備えている。中間転写ベルト２は、複数の各種ロール３に掛け渡されており、これらロール３によって矢印Ａ方向に周回移動させられる。このように周回移動させられる中間転写ベルト２に対して、画像形成ユニット１Ｙ，１Ｍ，１Ｃ，１Ｋによって形成された各色のトナー像が重ね合わされるようにして１次転写される。収容トレイ４ａ，４ｂ，４ｃ，４ｄには、それぞれ異なるサイズの用紙が複数枚収容されている。指定されたサイズの用紙は、収容トレイ４ａ、４ｂ、４ｃ，４ｄのいずれかから送り出され、複数の搬送ロール５によって搬送路Pathを矢印Ｂ方向に搬送される。転写装置６は、上述したように中間転写ベルト２に１次転写されたトナー像を、搬送路Path上を搬送される用紙に２次転写する。定着装置７は、用紙に２次転写されたトナー像を加熱および加圧することによって用紙に定着させる。トナー像が定着させられた用紙は、矢印Ｃ方向に沿って排出トレイ８ａ、８ｂ、８ｃのいずれかに排出させられる。これらの画像形成装置１００の各部は、例えばＣＰＵ（Central Processing Unit）やＡＳＩＣ（Application Specific Integrated Circuit）やメモリを備えた制御部により制御される。
【００１４】
図２は、上述した感光体及び露光装置の近傍の構造を示す図である。同図（ａ）は、図１の矢印Ｘ方向から見た正面図であり、同図（ｂ）は、図１の矢印Ｙ方向から見た側面図である。なお、同図（ｂ）においては、後述するヘッド筐体１０１及びドラム筐体２００を除いて図示している。
図２の上方の露光装置１０と、図２の下方の感光体２１０に係る構成部分（以下、感光部２０という）とは、接離可能な構造となっている。
まず、露光装置１０の構成を説明する。
露光装置１０は、ヘッド筐体１０１、カム１１０、ダイヤル１１１、ラッチ１１２、シャフト１１３、露光ヘッドユニット１２０、ピン１２１及びスプリング１３０を備えている。ヘッド筐体１０１は、金属やエンジニヤリングプラスチック（以下エンプラと略す）などで形成されており、画像形成装置１００において発生した振動や熱などから、露光装置１０の各部品を保護する。カム１１０とダイヤル１１１は、それぞれ円筒形状を有しており、ヘッド筐体１０１を貫通するシャフト１１３によって結合されている。カム１１０及びダイヤル１１１は、図２（ａ）で示すように、ヘッド筐体１０１の左右に１組ずつ存在し、カム１１０はヘッド筐体１０１の内側に設けられ、ダイヤル１１１はヘッド筐体１０１の外側に設けられている。ダイヤル１１１の外周には、凸凹形状が刻みこまれており、ダイヤル１１１の中心軸には、シャフト１１３が取り付けられている。利用者によってダイヤル１１１が回されると、ダイヤル１１１の回転はシャフト１１３を通じてカム１１０に伝わり、カム１１０が回転を行う。ラッチ１１２は、尖った先端を持つ形状である。このラッチ１１２はダイヤル１１１の外周の凸凹形状に噛み合い、ダイヤル１１１が自由に回転しないよう、そのダイヤル１１１の姿勢を保持する。カム１１０は、その円筒の中心軸から偏心した位置にシャフト１１３が取り付けられた偏心カムであり、シャフト１１３が回転すると、カム１１０は偏心回転を行う。カム１１０の外周面は、露光ヘッドユニット１２０の上端面に接触している。よって、カム１１０が回転すると、カム１１０の回転軸と露光ヘッドユニット１２０の上端面との距離が変化するので、露光ヘッドユニット１２０は上下に運動することになる。
【００１５】
露光ヘッドユニット１２０は、図中Ｙ方向に延びたライン線状に配置された複数のＬＥＤと、画像を記録する解像度に応じた範囲に各ＬＥＤの光を収束するレンズとを備えたＬＥＤアレイである。露光ヘッドユニット１２０は、上述した制御部により制御され、画像情報に応じて各ＬＥＤを明滅させることで記録光を発生させる。この記録光が感光体２１０の表面に照射されることで、感光体２１０の表面に静電潜像が形成される。突出部材の一例である２本のピン１２１は、露光ヘッドユニット１２０の左右の下端面に取り付けられている。この２本のピン１２１はいずれも同じ長さである。よって、それぞれのピン１２１の下端は、露光ヘッドユニット１２０の左右の下端面から同じ距離だけ離れた位置にある。スプリング１３０は、円筒形に巻かれたコイルスプリングであり、２本のピン１２１をそれぞれ包み込むように取り付けられている。
【００１６】
次に、感光部２０の構成を説明する。
感光体２１０は、ドラム筐体２００に取り付けられた一対のベアリング部２２０により、回転可能に支持されている。ベアリング部２２０は、像保持体である感光体２１０を回転可能に支持する支持手段の一例である。この感光体２１０は、制御部によって制御されるモータによって回転させられる。図２（ａ）において、ドラム筐体２００の左右の面には、それぞれＹ方向に貫通する孔２０１ａが１つずつ設けられている。この孔２０１ａのＺ方向の位置は、感光体２１０の上端からＺ方向に向かって同じ距離だけ離れた位置であり、図２の例では、感光体２１０の上端のＺ方向の位置と孔２０１ａの下端のＺ方向の位置とは、ほぼ同じ位置である。つまり、両者の距離の差はゼロと見なせる。この孔２０１ａには、それぞれ、同じ厚みの板状の補助位置決め部材２３０が１つずつ挿入されている。補助位置決め部材２３０は、位置決め部材の一例であり、この孔２０１ａを矢印Ｄ方向に移動可能となっている。ドラム筐体２００の左右上端には、一対のＸＹ位置決め部材２０１が設けられている。このＸＹ位置決め部材２０１は、感光体２１０の軸方向と平行な面、つまり、図１に示したＸ方向及びＹ方向に平行でＺ方向に垂直な面を有する。この面には、Ｚ方向に貫通する孔２０２が設けられている。これらの孔２０２は、露光装置１０の２本のピン１２１がそれぞれ挿入し得る程度の径を有する。
以上に説明した、ＸＹ位置決め部材２０１と、ピン１２１と、スプリング１３０と、カム１１０と、シャフト１１３と、ダイヤル１１１と、補助位置決め部材２０１とによって、位置関係調整手段の一例が構成されている。
【００１７】
次に、露光装置１０と感光部２０とを接続するときの動作について説明する。
前述した図２（ａ）、（ｂ）においては、露光装置１０が感光部２０の上に置かれていただけの状態を示していた。このとき、露光装置１０の２本のピン１２１は、それぞれ、感光体２１０側のＸＹ位置決め部材２０１の孔２０２に挿入されている。このときスプリング１３０の弾性力により、露光ヘッドユニット１２０がＸＹ位置決め部材２０１に対して支持されている。また、この状態では、補助位置決め部材２３０が、ドラム筐体２００の内側に押し込まれた状態になっている。
【００１８】
図２（ａ）、（ｂ）の状態において、利用者は２つのダイヤル１１１を手で回す。このとき、ダイヤル１１１の回転運動は、カム１１０の作用により露光ヘッドユニット１２０の上下運動に変換されるから、利用者はダイヤル１１１の回転方向を選択することで、露光ヘッドユニット１２０を下方に押し下げることができる。露光ヘッドユニット１２０が下方に押し下げられると、その下端にある２本のピン１２１は、図３（ａ）、（ｂ）に示すように、それぞれ補助位置決め部材２３０の上端面に突き当たるから、露光ヘッドユニット１２０はその状態よりも下方に移動することはない。この図３（ａ）、（ｂ）の状態のときも、スプリング１３０の弾性力により、露光ヘッドユニット１２０がＸＹ位置決め部材２０１に対して支持されている。２本のピン１２１は、いずれも同じ長さであるから、露光ヘッドユニット１２０の下端面と感光体２１０の上端面とは、図中左右方向（つまりＹ方向）にわたって均等な距離だけ離れていることになる。
【００１９】
この状態で、利用者が補助位置決め部材２３０をそれぞれドラム筐体２００の外側に引き出すと、図４（ａ）、（ｂ）に示すような状態になる。図３で示した状態において、露光ヘッドユニット１２０の下端面と感光体２１０の上端面がＹ方向にわたって均等な距離だけ離れていたから、図４（ａ）、（ｂ）においても、これらの両者の間の距離は、Ｙ方向にわたって一定である。この状態であれば、露光ヘッドユニット１２０と感光体２１０とは互いに正確な位置に取り付けられたことになる。そして、この状態で、露光ヘッドユニット１２０から照射された記録光により感光体２１０の表面に静電潜像が形成されるが、このとき、感光体２１０の外周面と露光ヘッドユニット１２０とは接触していないので、感光体２１０の回転により露光ヘッドユニット１２０に伝わる振動は低減される。
【００２０】
＜第２実施形態＞
次に、本発明の第２実施形態について説明する。
図５，６は、感光体及び露光装置の近傍の構造を示す図である。図５，６の（ａ）は、図１の矢印Ｘ方向から見た正面図であり、図５，６の（ｂ）は、図１の矢印Ｙ方向から見た側面図である。なお、図５，６の（ｂ）においては、ヘッド筐体１０１及びドラム筐体２００を除いて図示している。また、図５，６において、第１実施形態と共通の構成には共通の符号を付している。この第２実施形態においては、ＸＹ位置決め部材２０１と、ピン１２１と、スプリング１３０と、カム１１０と、シャフト１１３と、ダイヤル１１１とによって、位置関係調整手段の一例が構成されている。
【００２１】
この第２実施形態では、第１実施形態のような補助位置決め部材を備えておらず、その代わりに、ピン１２１が上下に移動可能になっている。露光装置１０において、初期状態では、ピン１２１は、露光ヘッドユニット１２０の下端面から同じ長さだけ、下方（つまり感光体２１０に向かう方向）に突出している。そして、図５（ａ）、（ｂ）の状態において、利用者は２つのダイヤル１１１を手で回す。このとき、ダイヤル１１１回転運動は、カム１１０の作用により露光ヘッドユニット１２０の上下運動に変換されるから、利用者はダイヤル１１１の回転方向を適切に選択することで、露光ヘッドユニット１２０を下方に押し下げる。露光ヘッドユニット１２０が下方に押し下げられると、その下端にある２本のピン１２１は、図５（ａ）、（ｂ）に示すように、それぞれ感光体２１０の上端面に突き当たるから、露光ヘッドユニット１２０はその状態よりも下方に移動することはない。この図５（ａ）、（ｂ）の状態のとき、スプリング１３０の弾性力により、露光ヘッドユニット１２０がＸＹ位置決め部材２０１に対して支持されている。このときの２本のピン１２１は、いずれも同じ長さである。よって、露光ヘッドユニット１２０の下端面と感光体２１０の上端面とは、図中左右方向（つまりＹ方向）にわたって均等な距離だけ離れていることになる。
【００２２】
この状態で、利用者がピン１２１を上方に移動させると、図６（ａ）、（ｂ）に示すような状態になる。図５で示した状態において、露光ヘッドユニット１２０の下端面と感光体２１０の上端面がＹ方向にわたって均等な距離だけ離れていたから、図６（ａ）、（ｂ）においても、これらの両者の間の距離は、Ｙ方向にわたって一定である。この状態であれば、露光ヘッドユニット１２０と感光体２１０とは互いに正確な位置に取り付けられたことになる。そして、この状態で、露光ヘッドユニット１２０から照射された記録光により感光体２１０の表面に静電潜像が形成されるが、このとき、感光体２１０の外周面と露光ヘッドユニット１２０とは接触していないので、感光体２１０の回転により露光ヘッドユニット１２０に伝わる振動は低減される。
【００２３】
ここで、図７は、ピン１２１が上下に移動する機構を説明する断面図である。
ピン１２１の上端は、それ以外の軸部分の径よりも大きい径になっている。露光ヘッドユニット１２０の内部には、ピン１２１の上端が収容される収容空間が形成されている。また、露光ヘッドユニット１２０には、上端以外のピン１２１の軸部分が挿入される孔１２０ａと、抑え部材１３２が挿入される孔１３２ａが設けられている。抑え部材１３２はピン１２１の上端に接している。露光ヘッドユニット１２０に形成された収容空間内において、２本のピン１２１をそれぞれ包み込むように、円筒形に巻かれたコイルスプリングであるスプリング１３１が取り付けられている。２本のピン１２１の長さは共通であるから、それぞれのピン１２１の下端は、露光ヘッドユニット１２０の左右の下端面から同じ距離だけ離れた位置にある。露光ヘッドユニット１２０が下方に押し下げられると、その下端にある２本のピン１２１は、図７（ａ）に示すように、それぞれ感光体２１０の上端面に突き当たるから、露光ヘッドユニット１２０はその状態よりも下方に移動することはない。この図７（ａ）の状態のとき、スプリング１３０の弾性力により、露光ヘッドユニット１２０がＸＹ位置決め部材２０１に対して支持されている。２本のピン１２１は、いずれも同じ長さであるから、露光ヘッドユニット１２０の下端面と感光体２１０の上端面とは、図中左右方向（つまりＹ方向）にわたって均等な距離だけ離れていることになる。
【００２４】
この状態で、利用者が抑え部材１３２をそれぞれドラム筐体２００の外側に引き出すと、スプリング１３２の弾性力によって、ピン１２１は上方に移動させられ、図７（ｂ）に示すような状態になる。つまり、抑え部材１３２及びスプリング１３２は、突出部材であるピン１２１の突出量を調整する突出量調整手段の一例である。図７（ａ）で示した状態において、露光ヘッドユニット１２０の下端面と感光体２１０の上端面がＹ方向にわたって均等な距離だけ離れていたから、図７（ｂ）においても、これらの両者の間の距離は、Ｙ方向にわたって一定である。この状態であれば、露光ヘッドユニット１２０と感光体２１０とは互いに正確な位置に取り付けられたことになる。そして、この状態で、露光ヘッドユニット１２０から照射された記録光により感光体２１０の表面に静電潜像が形成されるが、このとき、感光体２１０の外周面と露光ヘッドユニット１２０とは接触していないので、感光体２１０の回転により露光ヘッドユニット１２０に伝わる振動は低減される。
【００２５】
＜第３実施形態＞
次に、本発明の第３実施形態について説明する。
図８は、感光体及び露光装置の近傍の構造を示す図である。図８（ａ）は、図１の矢印Ｘ方向から見た正面図であり、図８（ｂ）は、図１の矢印Ｙ方向から見た側面図である。なお、図８（ｂ）においては、ヘッド筐体１０１及びドラム筐体２００を除いて図示している。また、図８において、第１実施形態と共通の構成には共通の符号を付している。
【００２６】
この第３実施形態では、第２実施形態と同様に、ピン１２１が上下に移動可能になっているが、そのピン１２１の下端が当たる位置がベアリング部２２０である点が第２実施形態と異なる。露光装置１０において、初期状態では、ピン１２１は、露光ヘッドユニット１２０の下端面から同じ長さだけ、下方に突出している。そして、図８の状態において、利用者は２つのダイヤル１１１を手で回す。このとき、ダイヤル１１１回転運動は、カム１１０の作用により露光ヘッドユニット１２０の上下運動に変換されるから、利用者はダイヤル１１１の回転方向を適切に選択することで、露光ヘッドユニット１２０を下方に押し下げることができる。露光ヘッドユニット１２０が下方に押し下げられると、その下端にある２本のピン１２１は、それぞれベアリング部２２０の上端面に突き当たるから、露光ヘッドユニット１２０はその状態よりも下方に移動することはない。この図８の状態のとき、スプリング１３０の弾性力により、露光ヘッドユニット１２０がＸＹ位置決め部材２０１に対して支持されている。このときの２本のピン１２１は、いずれも同じ長さである。よって、露光ヘッドユニット１２０の下端面と感光体２１０の上端面とは、図中左右方向（つまりＹ方向）にわたって均等な距離だけ離れていることになる。
【００２７】
この状態で、利用者がピン１２１を上方に移動させると、これにより、露光ヘッドユニット１２０と感光体２１０とは互いに正確な位置に取り付けられたことになる。そして、この状態で、露光ヘッドユニット１２０から照射された記録光により感光体２１０の表面に静電潜像が形成されるが、このとき、感光体２１０の外周面と露光ヘッドユニット１２０とは接触していないので、感光体２１０の回転により露光ヘッドユニット１２０に伝わる振動は低減される。
【００２８】
＜第４実施形態＞
次に、本発明の第４実施形態について説明する。
図９は、感光体及び露光装置の近傍の構造を示す図である。図９，１０（ａ）は、図１の矢印Ｘ方向から見た正面図であり、図９，１０（ｂ）は、図１の矢印Ｙ方向から見た側面図である。なお、図９，１０（ｂ）においては、ヘッド筐体１０１及びドラム筐体２００を除いて図示している。また、図９、１０において、第１実施形態と共通の構成には共通の符号を付している。
【００２９】
この第４実施形態では、ピン１２１が上下するのではなく、そのピン１２１の下端が当たるベアリング部２２０の筐体全体が、感光体２１０の軸を中心にして矢印Ｅ方向に回転するようになっている。ベアリング部２２０の筐体全体は、図９（ａｂ，図１０（ｂ）に示すように、円のうち一部の円弧部分が切り取られたような形状の筒である。つまり、ベアリング部２２０の筐体全体は、感光体２１０の回転軸からの距離が異なる外縁を有する自転可能な支持部材の一例である。図９の状態において、ベアリング部２２０の円弧部分がピン１２１に対向している。このとき、利用者は２つのダイヤル１１１を手で回すと、ダイヤル１１１回転運動は、カム１１０の作用により露光ヘッドユニット１２０の上下運動に変換されるから、利用者はダイヤル１１１の回転方向を適切に選択することで、露光ヘッドユニット１２０を下方に押し下げることができる。露光ヘッドユニット１２０が下方に押し下げられると、その下端にある２本のピン１２１は、それぞれベアリング部２２０の上端面に突き当たるから、露光ヘッドユニット１２０はその状態よりも下方に移動することはない。この図９の状態のとき、スプリング１３０の弾性力により、露光ヘッドユニット１２０がＸＹ位置決め部材２０１に対して支持されている。このときの２本のピン１２１は、いずれも同じ長さである。よって、露光ヘッドユニット１２０の下端面と感光体２１０の上端面とは、図中左右方向（つまりＹ方向）にわたって均等な距離だけ離れていることになる。
【００３０】
この状態で、利用者がベアリング部２２０を回転（自転）させると、図１０（ａ）、（ｂ）に示すような状態になる。この状態において、ベアリング部２２０の、円弧部分が切り取られた部分がピン１２１に対向している。つまり、ピン１２１とベアリング部２２０との間には隙間が生じる。ただし、露光ヘッドユニット１２０の下端面と感光体２１０の上端面との間の距離は、Ｙ方向にわたって一定である。この状態であれば、露光ヘッドユニット１２０と感光体２１０とは互いに正確な位置に取り付けられたことになる。そして、この状態で、露光ヘッドユニット１２０から照射された記録光により感光体２１０の表面に静電潜像が形成されるが、このとき、感光体２１０の外周面と露光ヘッドユニット１２０とは接触していないので、感光体２１０の回転により露光ヘッドユニット１２０に伝わる振動は低減される。
【００３１】
＜第５実施形態＞
次に、本発明の第５実施形態について説明する。
図１１は、感光体及び露光装置の近傍の構造を示す図である。図１１（ａ）は、図１の矢印Ｘ方向から見た正面図であり、図１１（ｂ）は、図１の矢印Ｙ方向から見た側面図である。なお、図１１（ｂ）においては、ヘッド筐体１０１及びドラム筐体２００を除いて図示している。また、図１１において、第１実施形態と共通の構成には共通の符号を付している。この第５実施形態では、ダイヤル１１１がヘッド筐体１０１の内側に設けられており、操作部分がヘッド筐体の上面に露出している。利用者が２つのダイヤル１１１を手で回すと、ダイヤル１１１回転運動は、カム１１０の作用により露光ヘッドユニット１２０の上下運動に変換され、露光ヘッドユニット１２０を下方に押し下げられる。
【００３２】
＜第６実施形態＞
次に、本発明の第５実施形態について説明する。
図１２は、感光体及び露光装置の近傍の構造を示す図である。図１２（ａ）は、図１の矢印Ｘ方向から見た正面図であり、図１２（ｂ）は、図１の矢印Ｙ方向から見た側面図である。なお、図１２（ｂ）においては、ヘッド筐体１０１及びドラム筐体２００を除いて図示している。また、図１２において、第１実施形態と共通の構成には共通の符号を付している。この第６実施形態では、カム１１０，シャフト１１３及びダイヤル１１１に代えて、スクリュー１５０が設けられている、利用者がスクリュー１５０を手で回すことで、露光ヘッドユニット１２０が下方に押し下げられる。
【００３３】
＜第７実施形態＞
次に、本発明の第７実施形態について説明する。
図１３は、感光体及び露光装置の近傍の構造を示す図である。図１３（ａ）は、図１の矢印Ｘ方向から見た正面図であり、図１３（ｂ）は、図１の矢印Ｙ方向から見た側面図である。なお、図１３（ｂ）においては、ヘッド筐体１０１及びドラム筐体２００を除いて図示している。また、図１３において、第１実施形態と共通の構成には共通の符号を付している。この第７実施形態では、露光ヘッドユニット１２０が、ヘッド筐体１０１に対してスプリング１４０によって吊り下げられている。
【００３４】
＜第８実施形態＞
次に、本発明の第８実施形態について説明する。
図１４，１５は、感光体及び露光装置の近傍の構造を示す図である。図１４，１５（ａ）は、図１の矢印Ｘ方向から見た正面図であり、図１４，１５（ｂ）は、図１の矢印Ｙ方向から見た側面図である。なお、図１４，１５（ｂ）においては、ヘッド筐体１０１及びドラム筐体２００を除いて図示している。また、図１４，１５において、第１実施形態と共通の構成には共通の符号を付している。
図１４においては、感光体２１０の代わりに、治具２４０がベアリング２２０に取り付けられている。この治具の径は、感光体２１０の径よりも大きい。そして、ヘッド筐体１０１がドラム筐体２００の上に置かれた状態では、２本のピン１２１は、それぞれ、感光体２１０側のＸＹ位置決め部材２０１の孔２０２に挿入される。このときスプリング１３０の弾性力により、露光ヘッドユニット１２０がＸＹ位置決め部材２０１に対して支持されている。この状態から、ユーザが治具２４０をベアリング２２０から取り外し、その代わりに、感光体２１０をベアリング２２０に取り付ける。このとき、露光ヘッドユニット１２０の下端面と感光体２１０の上端面がＹ方向にわたって均等な距離だけ離れている。
【００３５】
なお、上記の各実施形態は互いに組み合わせてもよい。
例えば第１、５，６，７、８実施形態において、第３実施形態のように、ピン１２１の下端が当たる対象として、感光体２１０ではなく、ベアリング部２２０の筐体全体としてもよい。
【符号の説明】
【００３６】
１…画像形成装置、１０１…ヘッド筐体、１１０…カム、１１１…ダイヤル、１１２…ラッチ、１１３…シャフト、１２０…露光ヘッドユニット、１２１…ピン、１３０…スプリング、１３１…スプリング、１４０…スプリング、１５０…スクリュー、２００…ドラム筐体、２１０…感光体、２２０…ベアリング、２３０…補助位置決め部材、２４０…治具。
【図１】
2010228310.tif 000003
【図２】
2010228310.tif 000004
【図３】
2010228310.tif 000005
【図４】
2010228310.tif 000006
【図５】
2010228310.tif 000007
【図６】
2010228310.tif 000008
【図７】
2010228310.tif 000009
【図８】
2010228310.tif 000010
【図９】
2010228310.tif 000011
【図１０】
2010228310.tif 000012
【図１１】
2010228310.tif 000013
【図１２】
2010228310.tif 000014
【図１３】
2010228310.tif 000015
【図１４】
2010228310.tif 000016
【図１５】
2010228310.tif 000017